(57)【特許請求の範囲】
【請求項１】
電力系統に連系点を介して接続されている自然エネルギー発電システムに併設されて、前記自然エネルギー発電システムによって発電された電力の充放電を行う電力貯蔵装置と、
前記自然エネルギー発電システムの発電有効電力の値を計測し、前記発電有効電力と前記電力貯蔵装置による充放電との和による合成出力の単位時間における変化速度が所定範囲内になるように平滑化フィルタ処理を行って合成出力目標を決定するとともに、前記合成出力目標と前記自然エネルギー発電システムによる現在の発電有効電力の値との偏差を充放電指令値として前記電力貯蔵装置に出力する安定化制御装置と、
前記電力系統が接続された変電所と前記連系点との間に設置され、当該設置箇所を通過する通過有効電力を計測し、前記通過有効電力の変化量が所定量を超えた状態が所定時間以上継続した場合に、変圧器の変圧比を１タップ分変更させるステップ式自動電圧調整器と
を備え、
前記合成出力の変化速度の規定範囲の最大値と、前記ステップ式自動電圧調整器の動作感度であるタップ動作のための前記通過有効電力に対して設定した前記所定量と前記所定時間との比の値とを、同一の値にすることによって、前記電力貯蔵装置の充放電と前記ステップ式自動電圧調整器のタップ制御とを協調させ、前記合成出力の変化速度を前記規定範囲内に収めるように制御することを特徴とする自然エネルギー発電向け電圧変動抑制装置。
【発明の詳細な説明】
【技術分野】
【０００１】
この発明は、自然エネルギー発電向け電圧変動抑制装置に関し、特に、風力発電や太陽光発電などの自然エネルギー発電システムに対して、自然エネルギー発電の出力変動に起因する系統電圧の変動を抑制するための自然エネルギー発電向け電圧変動抑制装置に関するものである。
【背景技術】
【０００２】
地球温暖化対策のためのＣＯ２削減など環境問題への貢献を目的とし、風力発電や太陽光発電など自然エネルギー発電システムの普及が世界的に進んでいる。しかしながら、自然エネルギー発電は天候任せの発電であるため、時々刻々と出力が変動する。
【０００３】
一般に自然エネルギー発電システムなど分散型電源の連系点の電圧は、分散型電源の出力変動と、変電所から連系点までの系統インピーダンスとに比例して変動する。そのため、出力変動の激しい自然エネルギー発電が電力系統に連系した場合、同じ系統に接続する近傍の電力需要家への電圧変動の影響が問題視される。
【０００４】
そこで電圧変動を抑制すべく、蓄電池やキャパシタ、フライホイールなど充放電可能な電力貯蔵装置を併設した出力安定化装置により、自然エネルギー発電の発電出力変動を抑制する必要が生じている（例えば、特許文献１参照）。
【０００５】
しかし、電力貯蔵装置は一般に極めて高価であり、多くの場合では価格は基本的にｋＷｈ容量に比例して増加する。そのため自然エネルギー発電システムの出力変動を１００％吸収できる電力貯蔵装置を併設すると、自然エネルギー発電による売電収入を相殺するレベルのコストが電力貯蔵装置に必要となり、発電事業者の経済収支を著しく悪化させるという問題があった。
【０００６】
また、自然エネルギー発電に関わらず、電力系統の電圧変動を抑制する方法としては、静止型無効電力補償装置やステップ式自動電圧調整器の設置が従来から行われていた。また、両装置の欠点を補うべく、両装置の併設した電圧変動抑制装置も提案されている（例えば、特許文献２及び３参照）。
【０００７】
【特許文献１】特開２００２−０２７６７９号公報
【特許文献２】特開２００２−２８１６６９号公報
【特許文献３】特開２０００−００４５４０号公報
【発明の開示】
【発明が解決しようとする課題】
【０００８】
自然エネルギー発電システムの出力変動に起因する電力系統の電圧変動を抑制するには、一般に、以下の４種類の方法がある。
【０００９】
１）電力貯蔵装置を発電システムに併設し、電力貯蔵装置の充放電制御（＝有効電力の制御）により連系点の電圧変動を抑制する方法。
【００１０】
２）ＳＶＣ（Ｓｔａｔｉｃ  Ｖａｒ  Ｃｏｍｐｅｎｓａｔｏｒ：静止型無効電力補償装置）等のパワエレ式自動電圧調整器を、自然エネルギー発電システム近傍に設置し、自然エネルギー発電システムの出力変動（有効電力の変動）と等価な電圧変動を発生させる分の無効電力を逆方向に流入・流出させ、設置点近傍の電圧をほぼ一定範囲に保つ方法。
【００１１】
３）ＳＶＲ（Ｓｔｅｐ  Ｖｏｌｔａｇｅ  Ｒｅｇｕｌａｔｏｒ）等のステップ式自動電圧調整器（一種のタップ切替制御付変圧器）を変電所と自然エネルギー発電システム連系点の間の電力系統に設置し、設置点の通過電力（有効電力・無効電力）変化から自然エネルギー発電システム連系点を含む下流域の電圧変動量を推定し、その電圧変動量に相当する変圧比を制御することによりＳＶＲから下流側の電圧をほぼ一定範囲に保つ方法。
【００１２】
４）前記のステップ式自動電圧調整器と静止型無効電力補償装置の組合せる方法。
【００１３】
しかしながら、これらの方法には、下記のような問題点があった。
【００１４】
１）の方法では、
・電力貯蔵装置に膨大なｋＷｈ容量が必要となり、高価となる。
【００１５】
２）の方法では、
・静止型無効電力補償装置のようなパワエレ機器は非常に高価である。
・無効電力変化による電圧変化の感度情報を入手、設定する必要がある。
・系統トポロジーや系統の線種が変われば感度も変わるため、その都度設定を変更する必要がある。
・系統の無効電力が全般に増えるため、無効電力ロスが増える。
【００１６】
３）の方法では、
・ステップ式自動電圧調整器は機械式のため、機器寿命の関係上、頻繁な制御はできない。
・頻繁な制御を回避するため、数分の動作時限を設定しており、従って急激な電圧変動には追従できない。
・設置するのは系統を管理する電力会社となり、発電事業者が設置する自然エネルギー発電システムへの対策費（設備費と維持管理費）を、一方的に電力会社側が負担するといった不公平が生じる。
【００１７】
４）の方法では、基本的に、上記の３）の課題の１，２項目を補うことができる。また、静止型無効電力補償装置の無効電力発生量も短時間で済むため、上記の２）の４項目の課題も補える。しかしながら、それ以外の課題が依然として残ることになる。
【００１８】
この発明は、かかる問題点を解決するためになされたものであり、自然エネルギーに起因する電力系統の電圧変動を一定範囲内に保つ電圧変動抑制を、その感度設定の変更を必要とすることなく、低コストで実現することが可能な自然エネルギー発電向け電圧変動抑制装置を得ることを目的としている。
【課題を解決するための手段】
【００１９】
この発明は、電力系統に連系点を介して接続されている自然エネルギー発電システムに併設されて、前記自然エネルギー発電システムによって発電された電力の充放電を行う電力貯蔵装置と、前記自然エネルギー発電システムの発電有効電力の値を計測し、前記発電有効電力と前記電力貯蔵装置による充放電との和による合成出力の単位時間における変化速度が所定範囲内になるように平滑化フィルタ処理を行って合成出力目標を決定するとともに、前記合成出力目標と前記自然エネルギー発電システムによる現在の発電有効電力の値との偏差を充放電指令値として前記電力貯蔵装置に出力する安定化制御装置と、前記電力系統が接続された変電所と前記連系点との間に設置され、当該設置箇所を通過する通過有効電力を計測し、前記通過有効電力の変化量が所定量を超えた状態が所定時間以上継続した場合に、変圧器の変圧比を１タップ分変更させるステップ式自動電圧調整器とを備え、前記合成出力の変化速度の規定範囲の最大値と、前記ステップ式自動電圧調整器の動作感度であるタップ動作のための前記通過有効電力に対して設定した前記所定量と前記所定時間との比の値とを、同一の値にすることによって、前記電力貯蔵装置の充放電と前記ステップ式自動電圧調整器のタップ制御とを協調させ、前記合成出力の変化速度を前記規定範囲内に収めるように制御することを特徴とする自然エネルギー発電向け電圧変動抑制装置である。
【発明の効果】
【００２０】
この発明は、電力系統に連系点を介して接続されている自然エネルギー発電システムに併設されて、前記自然エネルギー発電システムによって発電された電力の充放電を行う電力貯蔵装置と、前記自然エネルギー発電システムの発電有効電力の値を計測し、前記発電有効電力と前記電力貯蔵装置による充放電との和による合成出力の単位時間における変化速度が所定範囲内になるように平滑化フィルタ処理を行って合成出力目標を決定するとともに、前記合成出力目標と前記自然エネルギー発電システムによる現在の発電有効電力の値との偏差を充放電指令値として前記電力貯蔵装置に出力する安定化制御装置と、前記電力系統が接続された変電所と前記連系点との間に設置され、当該設置箇所を通過する通過有効電力を計測し、前記通過有効電力の変化量が所定量を超えた状態が所定時間以上継続した場合に、変圧器の変圧比を１タップ分変更させるステップ式自動電圧調整器とを備え、前記合成出力の変化速度の規定範囲の最大値と、前記ステップ式自動電圧調整器の動作感度であるタップ動作のための前記通過有効電力に対して設定した前記所定量と前記所定時間との比の値とを、同一の値にすることによって、前記電力貯蔵装置の充放電と前記ステップ式自動電圧調整器のタップ制御とを協調させ、前記合成出力の変化速度を前記規定範囲内に収めるように制御することを特徴とする自然エネルギー発電向け電圧変動抑制装置であるので、自然エネルギーに起因する電力系統の電圧変動を一定範囲内に保つ電圧変動抑制を、その感度設定の変更を必要とすることなく、高価な電力貯蔵装置の必要容量を抑えることにより低コストで実現することができる。
【発明を実施するための最良の形態】
【００２１】
実施の形態１．
この発明に係る電圧変動抑制装置は、風力発電や太陽光発電など、自然状況に応じて刻々と出力が変動する自然エネルギー発電システムに対して、電力貯蔵装置とＳＶＲ（Ｓｔｅｐ  Ｖｏｌｔａｇｅ  Ｒｅｇｕｌａｔｏｒ）等の機械式電圧自動調整器を併設し、両者が自律的に協調制御するように制御定数を設定することによって、自然エネルギー発電の出力変動に起因する系統電圧の変動を抑制する、自然エネルギー発電向け電圧変動抑制装置である。
【００２２】
本実施の形態１においては、自然エネルギー発電システムに起因する電力系統の電圧変動を吸収すべく、電力貯蔵装置と比較的安価なステップ式自動電圧調整器とを併設し、両者の制御協調を取り、電圧変動が常に一定範囲内に収まるように、両者の制御変数を設定する。また、そのために必要かつ十分な電力貯蔵装置のｋＷｈ容量を制御変数より決定する。
【００２３】
すなわち、自然エネルギー発電システムの急激な出力変動に対し、その変化率が一定となるような合成出力目標を設定し、電力貯蔵装置は自然エネルギー発電システムの現在出力と合成出力目標との偏差を充放電により吸収する。その結果、電力系統での電圧も一定の変化率で変動していくことになる。
【００２４】
変化率は、ステップ式自動電圧調整器の寿命と、電力貯蔵装置のコストを考慮した上で、設定する。変化率が大きすぎれば電力貯蔵装置の必要ｋＷｈ容量は少なくなるがステップ式自動電圧調整器の動作回数が増える。逆に変化率が小さければ、ステップ式自動電圧調整器の動作回数は減るが、電力貯蔵装置の必要ｋＷｈ容量が増えてしまう。
【００２５】
コスト面、運用面から判断して適切な変化率を決め、電力貯蔵装置の合成出力目標決定と、ステップ式自動電圧調整器の感度設定として設定することにより、電圧変動を一定範囲内に保ちつつ、電力貯蔵装置の必要ｋＷｈ容量も明確になる。
【００２６】
以下において、本実施の形態１に係る電圧変動抑制装置の具体的な構成および動作について、一般的な構成例と対比させながら説明する。
【００２７】
図７は、電力貯蔵装置を併設した自然エネルギー発電システムの一般的な構成例である。図７において、１は太陽光を用いて発電を行う太陽光発電システム、２は風力を用いて発電を行う風力発電システム、３は太陽光発電システム１や風力発電システム２等の自然エネルギー発電システムで発電された電力の有効電力を計測する電力計測装置、４は太陽光発電システム１や風力発電システム２等の自然エネルギー発電システムにおいて発電された電力を送電する構内系統、５は構内系統４と後述する商用電力系統６とを接続している連系点、６は電力会社からの商用電力を送電する商用電力系統、７は太陽光発電システム１や風力発電システム２等の自然エネルギー発電システムにおいて発電された電力を後述する電力貯蔵装置９に貯蔵するとともに、貯蔵した電力の充放電の制御を行う出力安定化装置、８は出力安定化装置７内に設けられ、電力計測装置３において計測された電力値に基づいて貯蔵または放出すべき電力量を決定して充放電指令を出力する制御装置、９は制御装置８からの充放電指令を受けて電力の充放電を行う電力貯蔵装置である。
【００２８】
図７に示す一般的な自然エネルギー発電システムにおいては、太陽光発電システム１や風力発電システム２等の自然エネルギー発電システムで発電された電力は、電力計測装置３を介して、構内系統４に出力され、出力安定化装置７内に設けられた電力貯蔵装置９にいったん貯蔵される。また、該電力は、電力計測装置３において電力値が計測され、出力安定化装置７内の制御装置８に入力される。
【００２９】
なお、太陽光発電や風力発電など自然エネルギー発電システムは、天候任せの成行きで発電する。そのため、制御装置８と電力貯蔵装置９とを備えた出力安定化装置７により、連系点５を介して商用電力系統６へ流れる電力の変動を抑制する。
【００３０】
制御装置８は、太陽光発電システム１や風力発電システム２等の自然エネルギー発電システムの出力を監視し、該出力を平滑化フィルタ処理することによって合成出力目標を決定するとともに、合成出力目標と自然エネルギー発電システムの現在の出力との偏差を算出し、その値を電力貯蔵装置９への充放電指令値とする。
【００３１】
電力貯蔵装置９は、与えられた充放電指令値に基づき、構内系統４から充放電を行う。すなわち、充放電指令が“充電”であれば、構内系統４から電力の貯蔵を行う。一方、充放電指令が“放電”であれば、構内系統４に対して電力の放出を行う。
【００３２】
図８は、自然エネルギー発電システムの出力と、それをフィルタ処理した結果得られる合成出力目標値の例を示したものである。図８において、実線が自然エネルギー発電システムの出力を示し、破線が合成出力目標値を示している。
【００３３】
図１は、この発明の実施の形態１に係る自然エネルギー発電向け電圧変動抑制装置の構成を示した構成図である。図１において、符号１〜９は、図７と同様であるため、ここでは説明を省略する。また、図１において、１０はＳＶＲ（Ｓｔｅｐ  Ｖｏｌｔａｇｅ  Ｒｅｇｕｌａｔｏｒ）であり、１１は変圧器、１２は電力計測装置、１３はＳＶＲ制御装置、１４は変電所である。ＳＶＲ１０は、ステップ式自動電圧調整器であり、自然エネルギー発電システムの連系点５と商用電力系統６が接続された変電所１４との間に設けられている。ＳＶＲ１０内には、変圧器１１と電力計測装置１２とＳＶＲ制御装置１３とが設けられている。図１と図７の構成の違いは、図１においてはＳＶＲ１０が追加されている点である。
【００３４】
このように、本実施の形態１に係る自然エネルギー発電向け電圧変動抑制装置は、自然エネルギー発電システムに併設された電力貯蔵装置９と、電力系統上の変電所１４と自然エネルギー発電システムの連系点５との間に設置されたＳＶＲ１０とが併設されている。
【００３５】
なお、この発明は、図１の構成に限定されるものではなく、例えば、ＳＶＲ１０の代わりに、変電所１４で電圧を降圧するためのタップ制御機能つき変圧器ＬＲＴ（Ｌｏａｄ  Ｒａｔｉｏ  Ｃｏｎｔｒｏｌ  Ｔｒａｎｓｆｏｒｍｅｒ）を用いるようにしても良く、同等の動作をするものであれば、他のものを用いてもよいものとする。
【００３６】
本実施の形態１においては、自然エネルギーシステムの有効電力出力Ｇと電力貯蔵装置９による充放電との和（すなわち、連系点５を通過する電力値）を合成出力とすると、出力安定化制御装置７は、自然エネルギー発電システムの有効電力出力Ｇを電力計測装置３で計測することによって監視し、合成出力の単位時間における変化速度（時間Δｔあたりの有効電力出力Ｇの変化量ΔＧ）であるΔＧ／Δｔが常に規定範囲内となるように、有効電力出力Ｇに対して平滑化フィルタ処理を行って、変化速度ΔＧ／Δｔが一定となるような合成出力目標を設定する。すなわち、Ｓｍａｘ（＝ΔＧｍａｘ／Δｔ）を当該規定範囲の最大値とし、−Ｓｍａｘを当該規定範囲の最小値とすると、変化速度ΔＧ／Δｔが、常に、Ｓｍａｘ≧ΔＧ／Δｔ≧−Ｓｍａｘとなるように、合成出力目標を設定する。ここで、Ｓｍａｘは、例えば「自然エネルギー発電定格比１０％／分」など、ＳＶＲ動作が頻発せず、かつ、十分追従できる数値に設定する。
【００３７】
次に、出力安定化制御装置７は、設定した当該合成出力目標と自然エネルギー発電システムからの現在の有効電力出力Ｇとの偏差を求め、当該偏差を電力貯蔵装置９へ充放電指令として出力する。電力貯蔵装置９は、当該充放電指令によって指定された電力量が“正”の場合はその分だけ貯蔵し、一方、“負”の場合には、その分の電力を、構内系統４および連系点５を介して商用電力系統６に放出する。
【００３８】
図２は、本実施の形態１に係る自然エネルギー発電向け電圧変動抑制装置において、例えば自然エネルギー発電システム（定格出力Ｇｆｕｌｌ）の有効電力出力Ｇが時刻ｔで定格比１００％から０％に急変した場合の、フィルタ処理結果によって得られる合成出力目標を示す。図２において、実線が有効電力出力Ｇを示し、破線が合成出力目標を示す。図２に示すように、有効電力出力Ｇが１００％から０％に急変した場合にも、合成出力目標は、なだらかな変化の一定比率で徐々に減少しており、急変はしていない。具体的には、Ｇｆｕｌｌ／Ｓｍａｘ時間後の時刻ｔ＋Ｇｆｕｌｌ／Ｓｍａｘの時点で、合成出力が０％になるように合成出力目標が設定されている。
【００３９】
電力貯蔵装置９は、このようにして、制御装置８から与えられる充放電指令に従い、有効電力の充電または放電を実行する。
【００４０】
一方、ＳＶＲ１０のほうでは、ＳＶＲ制御装置１３が、設置箇所の通過有効電力Ｐを電力計測装置１２により計測し、任意の時間からの変化幅ΔＰが、１タップ相当の所定量ΔＰｔａｐを超えた状態が所定時間Δｔｔａｐ以上継続した場合に、変圧器１１へ変圧比を１タップ分変更するように指令する。
【００４１】
ここでΔＰｔａｐは、ＳＶＲ１タップ相当の電圧調整刻み（高圧６．６ｋＶ配電線では１００Ｖ程度）の電圧変動を系統に発生させる有効電力変動である。
【００４２】
また、Δｔｔａｐは、上述の出力安定化装置７で記載したＳｍａｘ（＝ΔＧｍａｘ／Δｔ）とΔＰｔａｐ／Δｔｔａｐとが同一の値となる時間幅に設定する。なお、このΔｔｔａｐを動作時限として設定する理由としては、ＳＶＲ１０の動作頻発を抑制するためである。
【００４３】
このように、ＳＶＲ１０は、通過電力の変化が一定量以上（ΔＰｔａｐ以上）である状態が一定時間以上（Δｔｔａｐ経過）経過した場合に動作して、変圧器１１へ変圧比を１タップ分変更するように指令するので、図３の細い破線で示すように、時間Δｔｔａｐごとに、ΔＰｔａｐずつ、階段状に（ステップ式に）、電力が変化する。この結果、ＳＶＲ１０と電力貯蔵装置９とによる変動抑制制御は、図３のごとく協調がとれ、電力系統の電圧変動は、所定量以上下がると、ＳＶＲ１０の動作により昇圧されるので、一定以内に収められる。
【００４４】
図４は、電力貯蔵装置９もＳＶＲ１０も無い場合の、自然エネルギー発電システムの出力変動と電力系統の電圧変動との相関を示した参考図である。この場合には、図４に示すように、自然エネルギー発電システムの出力変動幅に比例する形で電圧も変動してしまうので、規定電圧を逸脱した状態が継続する可能性がある。
【００４５】
これを防ぐためには、電圧を逸脱しないように長時間の間、電力貯蔵装置９が合成出力を一定に保たなくてはならない。
【００４６】
図５は、図４と同じ出力変動で、出力安定化装置７の電力貯蔵装置９による充放電制御がある場合を示した参考図である。この場合には、電力貯蔵装置９の充放電により、連系点５の出力変動が緩やかになるため、電圧変動も緩やかになるが、最終的には規定電圧を逸脱した状態に陥る可能性がある。
【００４７】
また、図６は、図４と同じ出力変動で、ＳＶＲ１０のみがある場合の参考図である。急峻な電圧変動に対し、ＳＶＲ１０の動作頻発を抑制するための時限Δｔｔａｐの間、制御が遅れ、その間、規定電圧を逸脱した状態が継続する可能性がある。
【００４８】
本実施の形態１においては、図４〜図６に示される問題点を解決するために、図１に示す構成のように、ＳＶＲ１０と電力貯蔵装置９とを併用するようにしたので、急峻な電圧変動に対しては、まず、電力貯蔵装置９の充放電によって即座に対応するので、制御が遅れることなく、また、その結果、系統電圧の電圧値が下がり過ぎるのを防止するために、ＳＶＲ１０が、通過電力の変化が一定量以上（ΔＰｔａｐ以上）である状態が一定時間以上（Δｔｔａｐ経過）経過したら動作して、当該タップ動作により系統電圧を昇圧（または降圧）して、規定電圧の範囲を逸脱しないようにするので、図３のごとく協調がとれ、電力系統の電圧変動は、一定範囲（規定電圧範囲）以内に常に収めることができる。
【００４９】
更に、電力貯蔵装置９の必要ｋＷｈ容量は、最大の場合でも、図２における自然エネルギー発電システムの出力と合成出力目標との差分を補償すればよく、下式で求めることができる。
【００５０】
必要ｋＷｈ容量  ＝  Ｇｆｕｌｌ（ｋＷ）×｛Ｇｆｕｌｌ÷Ｓｍａｘ｝（ｈ）  ÷２
【００５１】
以上のように、本実施の形態１の自然エネルギー発電向け電圧変動抑制装置によれば、自然エネルギー発電システムに起因する電力系統の電圧変動を吸収すべく、電力貯蔵装置９に、比較的安価なステップ式自動電圧調整器であるＳＶＲ１０を併設し、両者の制御協調を取り、電圧変動が常に一定範囲内に収まるように、両者の制御変数を設定するとともに、そのために必要かつ十分な電力貯蔵装置のｋＷｈ容量を制御変数より決定するようにしたので、自然エネルギー発電システムの出力変動に起因する電力系統の電圧変動を一定範囲内に抑制し、規定電圧からの電圧逸脱を回避することが可能な電圧変動抑制装置を、安価なＳＶＲ１０と最小容量の電力貯蔵装置９とで実現できるため、低コストに抑えることができる。
【００５２】
また、図３に例示するように、ＳＶＲ１０と電力貯蔵装置９との協調が正確にとれるため、電力系統の電圧変動を、確実に一定範囲内に抑制することができる。すなわち、蓄電池で補償できるわずかな変動は蓄電池で抑制し、蓄電池の補償能力を超えた時点でＳＶＲ１０の補償に自動的に切り替わる、という動作を繰り返し続ける。
【００５３】
また、ＳＶＲ１０と電力貯蔵装置９との間の通信や集中制御装置が不要なため、安価で柔軟性に富む。
【図面の簡単な説明】
【００５４】
【図１】この発明の実施の形態１に係る電圧変動抑制装置の構成を示した構成図である。
【図２】この発明の実施の形態１に係る電圧変動抑制装置による自然エネルギー発電システムの出力変動抑制例をグラフで示した説明図である。
【図３】この発明による電圧変動抑制装置での系統電圧変動例をグラフで示した説明図である。
【図４】無対策時の系統電圧変動例を示した説明図である。
【図５】電力貯蔵装置による対策のみの系統電圧変動例を示した説明図である。
【図６】ＳＶＲによる対策のみの系統電圧変動例を示した説明図である。
【図７】自然エネルギー発電システムと出力安定化装置の一般的構成例を示した構成図である。
【図８】自然エネルギー発電システムの出力と合成出力目標値の例をグラフで示した説明図である。
【符号の説明】
【００５５】
１  太陽光発電システム、２  風力発電システム、３  電力計測装置、４  構内系統、５  連系点、６  商用電力系統、７  出力安定化装置、８  制御装置、９  電力貯蔵装置１０  ＳＶＲ、１１  変圧器、１２  電力計測装置、１３  ＳＶＲ制御装置、１４  変電所。
【図１】
0004794523.tif 000002
【図２】
0004794523.tif 000003
【図３】
0004794523.tif 000004
【図４】
0004794523.tif 000005
【図５】
0004794523.tif 000006
【図６】
0004794523.tif 000007
【図７】
0004794523.tif 000008
【図８】
0004794523.tif 000009